(57)【要約】本発明の実施例は、トリガーギャップに適用する装置を開示し、当該装置は、高圧電極（１）と接地電極（２）を含むトリガーギャップ本体（１０１）、トリガー（１０２）、及び制御ユニット（１０３）を含み、接地電極にクレーター式の接地電極円錐台構成が設けられ、高圧電極に緩やかに渡すボス構成、縁部でラップされるスパイラルアーム構成が設けられ、電極にステンレスバックプレートが設けられる。
2019500726.tif 000002
【特許請求の範囲】
【請求項１】
トリガーギャップに適用する装置であって、
高電圧ブッシング（３）と放電缶（４）を含むトリガーギャップ本体（１０１）、トリガー（１０２）、及び制御ユニット（１０３）を含み、
前記放電缶（４）の上部が高電圧ブッシング（３）に接続され、底部がトリガー（１０２）に接続され、
前記放電缶（４）の外部にエアバルブ（５）と防爆シート（６）が設けられており、内部に高圧電極（１）と、高圧電極（１）に対応して設けられている接地電極（２）が設けられている、
前記トリガーギャップに適用する装置。
【請求項２】
前記高圧電極（１）の縦断面の中央領域は、上部が大きく、下部が小さく、上部と下部との間が緩やかに渡す逆台形である、
請求項１に記載のトリガーギャップに適用する装置。
【請求項３】
前記接地電極（２）の縦断面の中央領域は、クレーター式の円錐台の構成であり、前記接地電極（２）の中央円錐台の内部が中空であり、前記接地電極（２）の内部の絶縁リング（２２１）とともに上部に穴をあけた噴出室（２２）が構成され、前記クレーター式の円錐台構成の円錐台外部形状がクレーター状を呈し、前記噴出室（２２）の噴出室穴（２１１）がクレーター式の円錐台の底部中央に位置し、前記噴出室穴（２１１）上部の縁部とスパイラルアームとの間が緩やかに渡す、
請求項１に記載のトリガーギャップに適用する装置。
【請求項４】
前記絶縁リング（２２１）の内部にトリガー針状電極（２２２）が設けられている、
請求項３に記載のトリガーギャップに適用する装置。
【請求項５】
前記高圧電極（１）と接地電極（２）との表面にスロット（１４）が設けられて、スパイラルアームが形成されており、前記スパイラルアームの回転角度が４５度であり、前記スパイラルアームの外部の縁部が相互に接続されている、
請求項１に記載のトリガーギャップに適用する装置。
【請求項６】
前記高圧電極（１）と接地電極（２）との材質はともに銅タングステン合金であり、且つ寸法が同じである、
請求項１に記載のトリガーギャップに適用する装置。
【請求項７】
前記高圧電極（１）と接地電極（２）とのバック部には、ともにステンレスバックプレート（１２）が設けられている、
請求項１に記載のトリガーギャップに適用する装置。
【請求項８】
高圧電極（１）のスパイラルアームと接地電極（２）のスパイラルアームとの回転方向が同じである、
請求項１に記載のトリガーギャップに適用する装置。
【請求項９】
前記制御ユニット（１０３）は、外部からの制御信号を受信し、制御信号を光信号に変換し、光ファイバーを介してトリガー（１０２）の前段トリガーに伝送する、
請求項１に記載のトリガーギャップに適用する装置。
【請求項１０】
前記トリガー（１０２）は、絶縁変圧器、前段トリガー、及び前段トリガーに接続している後段トリガーと含み、前記絶縁変圧器は、前段トリガーと後段トリガーとにそれぞれ接続され、前記後段トリガーが、トリガーギャップ本体（１０１）のトリガー針状電極（２２２）に接続されている、
請求項１に記載のトリガーギャップに適用する装置。
【発明の詳細な説明】
【技術分野】
【０００１】
本発明の実施例は電器技術分野に関し、特にトリガーギャップの装置に関する。
【背景技術】
【０００２】
パルスパワー分野において、ハイパワーのトリガーギャップ技術の発展と伴い、トリガーして導通する時間は、数十のナノ秒レベルに短縮されることが可能のようになり、放電容量が千クーロンに達すことができ、高い耐圧レベルを有する。トリガーギャップの動作時間が通常スイッチよりはるかに低く、制御性が強く、高い技術的性能を有し、クイックスイッチを構成しやすく、コア素子として特殊応用を形成することができ、配電網において解決が難しい課題を解決している。ハイパワートリガーギャップは、真空とＳＦ６トリガーギャップという２種類が分けられ、その中のＳＦ６トリガーギャップは、高電圧レベルに適用することが可能である。
【発明の概要】
【発明が解決しようとする課題】
【０００３】
ＳＦ６トリガーギャップは、主にアークによって放電させ、発生したアークは、電極を燃えて損傷してしまい、高電圧と高電流の場合なおさら酷くになる。ギャップの安定した動作特性と電気寿命を保つために、電極の間に形成されたアークが、発生場所から高速に離れ、しかも消えるまで継続的な運動を維持するように工夫する必要がある。電極の構成及びその放電誘導磁場は、アークの運動特性に影響する肝心な要因であり、ＳＦ６トリガーギャップの開発において、通常、真空サーキットブレーカスパイラル溝コンタクト構成を直接に流用し、噴出室内の圧力不足を引き起こしやすく、プラズマジェットの噴射の高さが不足であり、メインギャップが導通しにくく、アーキング生成後のアークの停滞時間が長く、電極の中央円錐台が酷く燃えられることを引き起こされ、アークが運動して電極縁部に到着した時に再度停滞し、電極縁部も明らかな熔痕が現れる可能性があり、明らかに、上記の現象はＳＦ６トリガーギャップの電気性能の向上に影響を及ぼす。
【課題を解決するための手段】
【０００４】
これを鑑みて、本発明の実施例は、トリガーギャップに適用する装置を提供し、クレーター式の接地電極円錐台構成、緩やかに渡す高圧電極ボス構成、縁部でラップされるスパイラルアーム構成、ステンレスバックプレート付き電極を含み、噴出室穴を保護して燃えられることを避け、ギャップのトリガー性能を保証することができ、アークによって高圧電極の中央円錐台が燃えられることを低減することができ、電極の放電能力を向上させ、電極の機械的な強度を保証することができる。
【０００５】
本発明の実施例は、トリガーギャップに適用する装置を提供し、前記装置は、トリガーギャップ本体（１０１）、トリガー（１０２）及び制御ユニット（１０３）を含み、前記トリガーギャップ本体（１０１）は、高電圧ブッシング（３）と放電缶（４）を含み、前記放電缶（４）の上部が高電圧ブッシング（３）に接続され、底部がトリガー（１０２）に接続され、前記放電缶（４）の外部にエアバルブ（５）と防爆シート（６）が設置ており、内部に高圧電極（１）と、高圧電極（１）に対応して設けられている接地電極（２）が設けられている。
【０００６】
前記高圧電極（１）の縦断面の中央領域は、上部が大きく、下部が小さく、上部と下部との間が緩やかに渡す逆台形である。
【０００７】
前記接地電極（２）の縦断面の中央領域は、クレーター式の円錐台に形成され、前記接地電極（２）の中央円錐台の内部が中空であり、前記接地電極（２）の内部の絶縁リング（２２１）とともに上部に穴をあけた噴出室（２２）が構成され、前記クレーター式の円錐台構成の円錐台外部形状がクレーター状を呈し、前記噴出室（２２）の噴出室穴（２１１）がクレーター式円錐台の底部中央に位置し、前記噴出室穴（２１１）上部の縁部とスパイラルアームとの間が緩やかに渡す。
【０００８】
前記絶縁リング（２２１）の内部にトリガー針状電極（２２２）が設けられている。
【０００９】
高圧電極（１）と接地電極（２）との表面にスロット（１４）が設けられてスパイラルアームが形成されており、前記スパイラルアームの回転角度が４５度であり、前記スパイラルアームの外部の縁部が相互に接続されている。
【００１０】
高圧電極（１）と接地電極（２）との材質はともに銅タングステン合金であり、且つ寸法が同様である。
【００１１】
高圧電極（１）と接地電極（２）とのバック部には、ともにステンレスバックプレート（１２）が設けられている。
【００１２】
高圧電極（１）のスパイラルアームと接地電極（２）のスパイラルアームとの回転方向が同じである。
【００１３】
前記制御ユニット（１０３）は、外部からの制御信号を受信し、制御信号を光信号に変換し、光ファイバーを介してトリガー（１０２）の前段トリガーに伝送する。
【００１４】
前記トリガー（１０２）は、絶縁変圧器、前段トリガー、及び前段トリガーと接続している後段トリガーと含み、前記絶縁変圧器は、前段トリガーと後段トリガーとにそれぞれ接続され、前記後段トリガーが、トリガーギャップ本体（１０１）のトリガー針状電極（２２２）に接続されている。
【発明の効果】
【００１５】
在本発明の実施例により提供されている技術案において、クレーター式の接地電極円錐台構成によって、噴出室穴を保護し、燃えられることを避けることができ、ギャップのトリガー性能を保証し、緩やかな高圧電極ボス構成によって、アークの高圧電極の中央円錐台への燃えを低減し、電極の放電能力を向上させることができ、縁部でラップされるスパイラルアーム構成によって、電極縁部の燃えを低減することができ、電極の放電性能と全体の機械的な強度を向上させ、接地電極と高圧電極ともにステンレスバックプレートを付けるによって、ステンレスバックプレートの高い機械的な強度を利用して、電極の機械的な強度を高める。
【図面の簡単な説明】
【００１６】
【図１】本発明の実施例により提供されているトリガーギャップに適用する装置の構成を示す図である。
【図２】本発明の実施例により提供されている接地電極の正面図である。
【図３】本発明の実施例により提供されている接地電極の底面図である。
【図４】本発明の実施例により提供されている高圧電極の正面図である。
【図５】本発明の実施例により提供されている高圧電極の底面図である。
【発明を実施するための形態】
【００１７】
以下において図面と具体的な実施形態を結合して、本発明をより詳しく説明し、なお、以下で説明されている好ましい実施例は単に本発明を説明、解釈するためのものであり、本発明を限定するわけではない。
【００１８】
図１に示すように、噴出トリガーギャップ装置全体は、トリガーギャップ本体１０１、トリガー１０２及び制御ユニット１０３を含む。
【００１９】
制御ユニット１０３は、外部からの制御信号を受信し、制御信号を光信号に変換し、光ファイバーを介して伝送し、トリガー１０２に出力し、トリガー１０２を制御してトリガーギャップ本体１０１をターンオンするようにトリガーする。
【００２０】
トリガー１０２は、絶縁変圧器、前段トリガーと後段トリガーを含む。絶縁変圧器は、前段トリガーと後段トリガーにそれぞれ給電し、前段トリガーが制御ユニット１０１から送信されたトリガー信号を受信してから、パルス信号を出力して後段トリガーに放電させ、高圧パルス信号を生成しトリガーギャップ本体１０１のトリガー針状電極２２２に印加する。
【００２１】
トリガーギャップ本体１０１に１つのペアのメイン電極である高圧電極１と接地電極２が設けられ、接地電極２の内部に一つの噴出室２２が嵌入される。トリガー針状電極２２２がトリガー１０２により出力されたトリガーパルス信号を受信した場合、噴出室２２内において放電が発生し、大量のプラズマが生成され、高圧電極１と接地電極２とによって構成されているメインギャップに注入し、メインギャップの導通を誘発する。
【００２２】
図２に示すように、接地電極２がクレーター式の接地電極円錐台構成２１を採用し、ここで、接地電極２の材質は銅タングステン合金であり、中央円錐台内部が中空であり、絶縁リング２２１とともに上部に穴をあけた噴出室２２を形成し、円錐台外部がクレーター状に呈し、噴出室穴２１１がクレーター式の円錐台２１底部の中央に位置し、クレーター式の接地電極円錐台の噴出室穴２１１と高圧電極１との間の絶縁距離が大きく、メインギャップの絶縁性能を保証し、穴から噴出されたプラズがマメインギャップを導通し後に、円錐台の上部縁部上電極との間でアークが発生しやすく、円錐台の上部の縁部が電極スパイラルアームとの間に沿って緩やかに渡すように処理され、アークがスパイラルアーム方向に沿って運動し易い。ここでのクレーター式の接地電極円錐台構成２１の円錐台外部がクレーター状に呈し、即ち、クレーターの形と似ている。
【００２３】
図４に示すように、高圧電極１が緩やかに渡す高圧電極ボス１１の構成を採用し、ここで、高圧電極１が接地電極２と材質、寸法において同様であり、動作中において接地電極２と対称して装着し、高圧電極１の中央が緩やかなボス１１に形成され、電界の均等を保証し、絶縁性能が優れており、噴出によりメインギャップをトリガーした後に、アークがボス表面でランダムに発生し、その同時に、アークをボスからスパイラルアーム１３に迅速に運動するように誘導することが可能であり、それによって中央円錐台への燃えを低減することが可能である。
【００２４】
図３、図５に示すように、高圧電極１と接地電極２との表面にスロット１３を形成する処理を行い、８個のスパイラルアーム１３が形成され、各スパイラルアーム１３の回転角度が４５度であり、高圧電極１と接地電極２とを装着してから、スパイラルアーム１３の回転方向を同じにすることで、電流を導通する時に回転アークを形成することを確保する。高圧電極１と接地電極２ともに縁部でラップされるスパイラルアーム１３の構成を利用し、アークが電極縁部で高速的に回転するように誘導して、電極への燃えを低減する一方、８個のスパイラルアーム１３を全体とし、電極の機械的な強度が向上させる。
【００２５】
高圧電極と接地電極とのバック部にステンレスバックプレート１２を付けることで、電極の導電性能に影響しなく、電極の機械的な強度をさらに向上させ、アーキングの過程における電動トルクに対抗して、スパイラルアームのねじ切りを避ける。
【００２６】
上記に記載されているのは、本発明の好ましい実施例に過ぎず、本発明の範囲を限定するためのものではない。本発明の原理に基づく変更は、本発明の範囲内である。
【符号の説明】
【００２７】
１０１−トリガーギャップ本体、
１０２−トリガー、
１０３−制御ユニット、
１−高圧電極、
２−接地電極、
３−高電圧ブッシング、
４−放電缶、
５−エアバルブ、
６−防爆シート、
１１−ボス、
１２−ステンレスバックプレート、
１３−縁部でラップされるスパイラルアーム、
１４−スロット、
２１−クレーター式の円錐台、
２２−噴出室、
２１１−噴出室穴、
２１２−上部縁部、
２１３−緩やかに渡す領域、
２２１−絶縁リング、
２２２−トリガー針状電極。
【図１】
2019500726.tif 000003
【図２】
2019500726.tif 000004
【図３】
2019500726.tif 000005
【図４】
2019500726.tif 000006
【図５】
2019500726.tif 000007
【国際調査報告】
2019500726.tif 000008
2019500726.tif 000009
2019500726.tif 000010
2019500726.tif 000011